(57)【要約】【課題】  制御部より専用ＡＧＣ選択信号を必要としないアナログ／デジタル兼用チューナや、テレビジョン受信装置を提供する。【解決手段】  アナログ／デジタル兼用チューナは、地上放送を受信するためのアンテナにより受信した信号を増幅するＲＦアンプと、このＲＦアンプの出力を減衰させるアッテネータと、選局された番組を受信するための発振周波数を発振する発振器と、前記発振器からの信号と前記アッテネータからの信号をミックスするミキサーとからなり、地上アナログ放送および地上デジタル放送の両方において処理を行うフロントエンド部と、アナログ放送受信時にのみアナログ放送の復調動作するアナログ復調部と、デジタル放送受信時にのみデジタル放送の復調動作するデジタル復調部とを備えたことを特徴とする。【選択図】      図１
2007208553.tif 000002
【特許請求の範囲】
【請求項１】
地上放送を受信するためのアンテナにより受信した信号を増幅するＲＦアンプと、
このＲＦアンプの出力を減衰させるアッテネータと、
選局された番組を受信するための発振周波数を発振する発振器と、
前記発振器からの信号と前記アッテネータからの信号をミックスするミキサーとからなり、地上アナログ放送および地上デジタル放送の両方において処理を行うフロントエンド部と、
アナログ放送受信時にのみアナログ放送の復調動作するアナログ復調部と、
デジタル放送受信時にのみデジタル放送の復調動作するデジタル復調部とを備えたことを特徴とするアナログ／デジタル兼用チューナ。
【請求項２】
前記フロントエンド部および前記アナログ復調部とは、周辺回路からの電磁波ノイズによる影響を抑えるためのシールドとを備え、シールド内に収められていることを特徴とする請求項１記載のアナログ／デジタル兼用チューナ。
【請求項３】
前記シールドには、デジタル放送受信時のＡＧＣ（Automatic Gain Control）信号が前記デジタル復調部から入力される入力端子を備え、
前記ＲＦアンプおよび前記アッテネータは、前記ＡＧＣ信号に応じてアンテナからの信号のゲインを制御することを特徴とする請求項１記載のアナログ／デジタル兼用チューナ。
【請求項４】
前記アナログ／デジタル兼用チューナの出力を表示する表示装置を備えたことを特徴とする請求項１乃至３のいずれか１項に記載のテレビジョン受信装置。
【発明の詳細な説明】
【技術分野】
【０００１】
この発明は、地上アナログ放送又は地上デジタル放送を受信するアナログ／デジタル兼用チューナに関する。
【背景技術】
【０００２】
従来、アナログ放送用チューナとデジタル放送用のチューナを兼用したチューナを備えたテレビジョン受像機が知られている（例えば、特許文献１参照）。
【特許文献１】特開平１１−９８４２６号公報
【発明の開示】
【発明が解決しようとする課題】
【０００３】
特許文献１に記載されているテレビジョン受像機では、アナログ／デジタル各ＲＦ＿ＡＧＣの切り替え用として、制御部より専用ＡＧＣ選択信号を必要とする（専用端子及びＲＦ＿ＡＧＣスイッチ回路が高価）とうい問題点があった。
【０００４】
この発明は、アナログ／デジタル各ＲＦ＿ＡＧＣの切り替え用として、制御部より専用ＡＧＣ選択信号を必要としないアナログ／デジタル兼用チューナを提供することを目的とする。
【０００５】
また、この発明は、デジタル復調部を除くＩＦ回路ダイオードスイッチ切り替え部、ＲＦ＿ＡＧＣ切り替え部及びＩＦ出力以降のアナログ復調ベースバンド映像出力及び音声ＳＩＦ出力部を内蔵したチューナとすることにより、チューナシールド筐体のみでデジタル回路からの高周波ノイズを受けにくくし、配置制約、遮蔽シールド追加等、高価で設計に時間かからないアナログ／デジタル兼用チューナを提供することを目的とする。
【０００６】
また、この発明は、ＩＦ出力ダイオードスイッチにてデジタル又はアナログの選択ｃｈに応じた復調部のみに信号供給する（アナログ又はデジタル復調に選択切り替えする）ことにより、分配ロスによる受信感度低下のないアナログ／デジタル兼用チューナを提供することを目的とする。
【課題を解決するための手段】
【０００７】
上記の目的を達成するために、この発明においては、地上放送を受信するためのアンテナにより受信した信号を増幅するＲＦアンプと、このＲＦアンプの出力を減衰させるアッテネータと、選局された番組を受信するための発振周波数を発振する発振器と、前記発振器からの信号と前記アッテネータからの信号をミックスするミキサーとからなり、地上アナログ放送および地上デジタル放送の両方において処理を行うフロントエンド部と、アナログ放送受信時にのみアナログ放送の復調動作するアナログ復調部と、デジタル放送受信時にのみデジタル放送の復調動作するデジタル復調部とを備えたことを特徴とするアナログ／デジタル兼用チューナを提供する。
【０００８】
また、このアナログ／デジタル兼用チューナの出力を表示する表示装置を備えたテレビジョン受信装置を提供する。
なお、装置に係る本発明は方法に係る発明としても成立し、方法に係る本発明は装置に係る発明としても成立する。
【発明の効果】
【０００９】
この発明によれば、デジタル用ＲＦ＿ＡＧＣ端子をアクティブ動作からＨｉｇｈ（例えば３．３［Ｖ］に固定）に制御することによりアナログＲＦ＿ＡＧＣに切り替えるので、アナログ／デジタル各ＲＦ＿ＡＧＣの切り替え用として制御部より専用ＡＧＣ選択信号を必要としないアナログ／デジタル兼用チューナや、テレビジョン受信装置を提供することができる。
【発明を実施するための最良の形態】
【００１０】
以下、図面を参照しながら本発明の実施の形態について説明する。
図１は、本発明の一実施形態に係るアナログ／デジタル兼用チューナの構成を示す図である。
まず構成について詳細に説明する。
図１において、アナログ／デジタル兼用チューナ１０は、地上デジタルＩＦ（中間周波数）復調ＩＣ５０と組み合わせて使用される。
アナログ／デジタル兼用チューナ１０は、地上デジタルＩＦ（中間周波数）復調ＩＣ５０や他のノイズ発生源からの飛び込み妨害防止のためシールド金具で覆うことで電波遮蔽されたたモジュールである。
【００１１】
アナログ／デジタル兼用チューナ１０は、地上波アンテナ入力端子１１０と、ＲＦアンプ（利得固定）１１１と、可変アッテネータ（ＡＴＴ）１１２と、ＲＦアンプ（利得可変型）１１３と、ミキサー１１４と、オシレータ（ＯＳＣ）１１４Ａと、アナログ放送用の映像ＩＦ（Intermediate Frequency：中間周波数）フィルタ１１５と、アナログ放送用の音声ＩＦフィルタ１１６と、ダイオード１１７と、ダイオード１１８と、デジタル放送用ＩＦフィルタ１１９と、地上アナログＩＦ復調ＩＣ１２０と、デジタル放送用ＲＦ−ＡＧＣバッファアンプ１２１（Ｑ１）と、アナログ放送用ＲＦ−ＡＧＣバッファアンプ１２２（Ｑ２）と、ＩＦスイッチ１２３（Ｑ３）と、アナログ映像信号出力端子１３１と、ＳＩＦ（Sound Intermediate Frequency）信号出力端子１３２と、デジタルＲＦ＿ＡＧＣ入力端子１５１と、アナログ／デジタル切替制御端子１５２と、デジタルＩＦ出力端子１５３と、抵抗Ｒ１〜Ｒ７とから構成されている。
【００１２】
ＲＦアンプ１１１は、初段ＲＦアンプであり利得は固定となっている。
可変アッテネータ１１２は、入力された制御信号により制御され、ＲＦアンプ１１１から入力されたＲＦ信号を減衰させてＲＦアンプ１１３へ出力する。
ＲＦアンプ１１３は、入力された制御信号により制御され、可変アッテネータ１１２から入力されたＲＦ信号を増幅してミキサー１１４へ出力する。
ＲＦアンプ１１３は、利得可変型となっている。
ミキサー１１４は、ＲＦアンプ１１３からのＲＦ信号とＯＳＣ１１４Ａからの発振信号とをミックスしてＩＦ（中間周波数）成分を取り出す。
オシレータ１１４Ａは、後述するマイコン３０によって発振周波数が制御される局部発振回路であり視聴者が選局した番組を視聴するために必要な局部発振周波数を発生する。
【００１３】
アナログ放送用の映像ＩＦフィルタ１１５およびアナログ放送用の音声ＩＦフィルタ１１６としては、ＳＡＷ（Surface Acoustic Wave：表面弾性波）フィルタが用いられる。
【００１４】
ダイオード１１７およびダイオード１１８は、ミキサー１１４の出力を地上アナログＩＦ復調ＩＣ１２０または地上デジタルＩＦ復調ＩＣ５０へ切り替え供給するためのスイッチとして動作する。
【００１５】
デジタル放送用ＩＦフィルタ１１９としては、ＳＡＷフィルタが用いられる。
デジタル放送用ＲＦ−ＡＧＣバッファアンプ１２１（Ｑ１）は、ＰＮＰ型トランジスタから構成されたバッファアンプ（エミッターホロァー）である。
デジタル放送用ＲＦ−ＡＧＣバッファアンプ１２１（Ｑ１）は、デジタル放送受信時には、デジタルＲＦ＿ＡＧＣ入力端子１５１から入力されたデジタルＲＦ＿ＡＧＣ信号を可変アッテネータ（ＡＴＴ）１１２およびＲＦアンプ（利得可変型）１１３へ供給することにより、ミキサー１１４のＩＦ出力レベルが一定となるように動作（ＲＦ＿ＡＧＣアクティブ動作）する。
【００１６】
なお、本明細書中で記載する“ＲＦ＿ＡＧＣアクティブ動作”とは、アンテナ入力信号の電界強度が変化してもミキサー１１４のＩＦ出力レベルが一定となるよう、チューナＲＦ段の可変アッテネータ（ＡＴＴ）およびＲＦアンプ（利得可変型）１１３の利得を自動制御する（実際には、弱信号時に３．３［Ｖ］〜  強信号時に０．５［Ｖ］程度で変化する）。一定の利得値に固定することに対しアクティブと記入している。
【００１７】
デジタル放送用ＲＦ−ＡＧＣバッファアンプ１２１（Ｑ１）は更に、アナログ放送受信時には、デジタルＲＦ＿ＡＧＣ入力端子１５１からデジタルＲＦ＿ＡＧＣ信号に代えてＨｉｇｈ（３．３［ｖ］）の固定電圧がベースに供給されオフ（不動作）となる。
【００１８】
アナログ放送用ＲＦ−ＡＧＣバッファ１２２（Ｑ２）は、ＰＮＰ型トランジスタから構成されたバッファアンプ（エミッターホロァー）である。
アナログ放送用ＲＦ−ＡＧＣバッファ１２２（Ｑ２）は、アナログ放送受信時には、地上アナログＩＦ復調ＩＣ１２０から入力されたアナログＲＦ＿ＡＧＣ信号を可変アッテネータ（ＡＴＴ）１１２およびＲＦアンプ（利得可変型）１１３へ供給することにより、ミキサー１１４のＩＦ出力レベルが一定となるように動作（ＲＦ＿ＡＧＣアクティブ動作）する。また、アナログ放送受信時には、アナログ／デジタル切替制御端子１５２から入力されたＨｉｇｈ（３．３［ｖ］）の固定電圧は、抵抗Ｒ５を介してＩＦスイッチ１２３（Ｑ３）のベースに供給される。
【００１９】
ＩＦスイッチ１２３（Ｑ３）は、ＮＰＮ型トランジスタから構成されており、アナログ／デジタル切替制御端子１５２に供給された電圧に応じてダイオード１１８をオン／オフ制御する。
【００２０】
アナログ放送受信時はアナログ／デジタル切替制御端子１５２に供給された電圧がＨｉｇｈ（３．３［ｖ］）となり、ＩＦスイッチ１２３（Ｑ３）はオンとして動作し、ダイオード１１８をオフとする、デジタル放送受信時はアナログ／デジタル切替制御端子１５２に供給された電圧が０［ｖ］となりＩＦスイッチ１２３（Ｑ３）はオフとして動作しダイオード１１８をオンとする。
【００２１】
マイコン３０は、共通バスを介して地上デジタルＩＦ復調ＩＣ５０と接続されている。
マイコン３０は、ユーザによるチャンネル選局の結果、アナログ放送受信時にはアナログ放送受信していることを示す情報を地上デジタルＩＦ復調ＩＣ５０へバスを介して出力する。地上デジタルＩＦ復調ＩＣ５０は、アナログ放送受信時、アナログ／デジタル切替制御端子１５２をＨｉｇｈ（３．３［ｖ］）に固定し、デジタル放送受信時にはアナログ／デジタル切替制御端子１５２をＬｏｗ（０ｖ）に固定する。
【００２２】
マイコン３０は、他にオシレータ１１４Ａの発振周波数等についても従来のチャンネル選局に応じた制御を行っているが、ここでは本発明の特徴でないため省略する。
【００２３】
地上デジタルＩＦ復調ＩＣ５０の構成については従来とほぼ同じであるため詳細な説明は省略する。ただマイコン３０からアナログ放送受信時にはアナログ放送受信していることを示す情報を受けたとき、地上デジタルＩＦ復調ＩＣ５０は、アナログ放送受信時、アナログ／デジタル切替制御端子１５２をＨｉｇｈ（３．３［ｖ］）に固定し、デジタル放送受信時にはアナログ／デジタル切替制御端子１５２をＬｏｗ（０ｖ）に固定する点が異なる。
【００２４】
地上デジタルＩＦ復調ＩＣ５０およびマイコン３０は共通のバスで接続されており、図２に示すとおりアナログ／デジタル兼用チューナ１０を制御する。
ステップＳ２０１：ユーザによって受信されたチャンネルがアナログ放送である場合にはステップＳ２０２へ進み、デジタル放送である場合にはステップＳ２０４へ進む。
【００２５】
ステップＳ２０２：地上デジタルＩＦ復調ＩＣ５０は、デジタルＲＦ＿ＡＧＣ入力端子１５１をＨｉｇｈ（３．３［ｖ］）に固定し、ステップＳ２０３へ進む。
ステップＳ２０３：マイコン３０は、アナログ放送受信時である旨共通バスを介して地上デジタルＩＦ復調ＩＣ５０へ出力する。地上デジタルＩＦ復調ＩＣ５０は、アナログ／デジタル切替制御端子１５２をＨｉｇｈ（３．３［ｖ］）に固定し、ステップＳ２０６へ進む。
【００２６】
ステップＳ２０４：地上デジタルＩＦ復調ＩＣ５０は、デジタルＲＦ＿ＡＧＣ入力端子１５１をＲＦ＿ＡＧＣアクティブ動作とし、ステップＳ２０５へ進む。
ステップＳ２０５：マイコン３０は、デジタル放送受信時である旨共通バスを介して地上デジタルＩＦ復調ＩＣ５０へ出力する。地上デジタルＩＦ復調ＩＣ５０は、アナログ／デジタル切替制御端子１５２をＬｏｗ（０ｖ）に固定し、ステップＳ２０６へ進む。
【００２７】
ステップＳ２０６：マイコン３０は、受信していた放送がデジタル放送からアナログ放送、或いはアナログ放送からデジタル放送に切り替わったか否かを判断し、切り替わりがあればステップＳ２０１へ進み、無ければステップＳ２０６へ戻る。
【００２８】
以下、このように構成されたアナログ／デジタル兼用チューナ１０の動作について詳細に説明する。
（地上アナログ放送受信時の動作）
まず、地上アナログ放送受信時におけるアナログ／デジタル兼用チューナ１０の動作について説明する。
例として地上アナログ放送の第１チャンネルを選局して受信するものとして説明する。地上アナログ放送の第１チャンネルのＲＦ信号は９１．２５［ＭＨｚ］である。
【００２９】
図示しない地上デジタル及び地上アナログ放送受信用アンテナより受信された信号は、地上波アンテナ入力端子１１０に供給される。
アンテナによって受信された放送信号は地上波アンテナ入力端子１１０を介してＲＦアンプ１１１へ供給される。
ＲＦアンプ１１１は、放送信号を固定の利得で増幅し、可変アッテネータ１１２、ＲＦアンプ１１３を介してミキサー１１４へ供給する。
オシレータ１１４Ａは、第１チャンネルを選局するために１５０［ＭＨｚ］に発振周波数が制御され、この発振周波数の信号をミキサー１１４へ供給する。
ミキサー１１４は、オシレータ１１４Ａからの発振周波数と、第１チャンネルのＲＦ信号の周波数との差である、１５０［ＭＨｚ］−９１．２５［ＭＨｚ］＝５８．７５［ＭＨｚ］の周波数のＩＦ信号をダイオード１１７および１１８へ出力する。
【００３０】
地上アナログ放送受信時には、地上デジタルＩＦ復調ＩＣ５０は、デジタルＲＦ＿ＡＧＣ入力端子１５１をＨｉｇｈ（３．３［ｖ］）、アナログ／デジタル切替制御端子１５２をＨｉｇｈ（３．３［ｖ］）に固定にする。このため地上アナログ放送受信時、ＩＦスイッチ１２３（Ｑ３）はオンとして動作し、ダイオード１１８は逆バイアス電圧によりオフとして動作し、ダイオード１１７はアナログ／デジタル切替制御端子１５２のＨｉｇｈ（３．３ｖ）固定電圧により順方向電圧が掛かりオンとして動作する。
【００３１】
このためミキサー１１４から出力されたＩＦ信号は、ダイオード１１７より、アナログ放送用の映像ＩＦフィルタ１１５およびアナログ放送用の音声ＩＦフィルタ１１６を介して、地上アナログＩＦ復調ＩＣ１２０に供給される。
【００３２】
地上アナログＩＦ復調ＩＣ１２０は、アナログ映像信号をアナログ映像信号出力端子１３１から出力すると共に、ＳＩＦ（Sound Intermediate Frequency）信号をＳＩＦ信号出力端子１３２から出力する。
【００３３】
デジタル放送用ＲＦ−ＡＧＣバッファアンプ１２１（Ｑ１）は、アナログ放送受信時には、デジタルＲＦ＿ＡＧＣ入力端子１５１からデジタルＲＦ＿ＡＧＣ信号に代えてＨｉｇｈ（３．３［ｖ］）の固定電圧がベースに供給され、オフとなる。
【００３４】
地上アナログＩＦ復調ＩＣ１２０は、アナログＲＦ＿ＡＧＣ出力信号をアナログ放送用ＲＦ−ＡＧＣバッファ１２２（Ｑ２）のベースに入力する。
アナログ放送用ＲＦ−ＡＧＣバッファ１２２（Ｑ２）は、地上アナログＩＦ復調ＩＣ１２０から入力されたアナログＲＦ＿ＡＧＣ出力信号に応じて、可変アッテネータ（ＡＴＴ）１１２およびＲＦアンプ（利得可変型）１１３のゲインを制御する。
【００３５】
この結果、アナログ／デジタル兼用チューナ１０は、地上アナログＩＦ復調ＩＣ１２０からのアナログＲＦ＿ＡＧＣ出力信号によって、ミキサー１１４のＩＦ出力レベルが一定となるようＲＦ＿ＡＧＣアクティブ動作となる。
【００３６】
（地上デジタル放送受信時の動作）
次に、地上アナログ放送受信時におけるアナログ／デジタル兼用チューナ１０の動作について説明する。
例として地上デジタル放送の第１チャンネルを選局して受信するものとして説明する。地上デジタル放送の第１チャンネルのＲＦ信号中心周波数は、９３．００＋１／７［ＭＨｚ］である。
【００３７】
図示しないデジタル及びアナログ地上波放送受信用アンテナより受信された地上波信号は、地上波アンテナ入力端子１０に供給される。
アンテナによって受信された放送信号は地上波アンテナ入力端子１１０を介してＲＦアンプ１１１へ供給される。
ＲＦアンプ１１１は、放送信号を固定の利得で増幅し、可変アッテネータ１１２、ＲＦアンプ１１３を介してミキサー１１４へ供給する。
オシレータ１１４Ａは、第１チャンネルを選局するために１５０＋１／７［ＭＨｚ］に発振周波数が制御され、この発振周波数の信号をミキサー１１４へ供給する。
ミキサー１１４は、オシレータ１１４Ａからの発振周波数と、第１チャンネルのＲＦ信号の周波数との差である、１５０＋１／７［ＭＨｚ］−（９３．００＋１／７［ＭＨｚ］）＝５７．００［ＭＨｚ］のＩＦ周波数が出力され、ダイオード１１７および１１８に供給する。
【００３８】
地上デジタル放送受信時には、地上デジタルＩＦ復調ＩＣ５０は、デジタルＲＦ＿ＡＧＣ入力端子１５１をＲＦ＿ＡＧＣアクティブ動作とし、アナログ／デジタル切替制御端子１５２をＬｏｗ（０ｖ）に固定する。このため地上デジタル放送受信時、ＩＦスイッチ１２３（Ｑ３）はオフとして動作し、ダイオード１１８は順方向電圧によりオンとして動作する。
【００３９】
このためミキサー１１４から出力されたＩＦ信号は、ダイオード１１8より、デジタル放送用ＩＦフィルタ１１９、デジタルＩＦ出力端子１５３を介して地上デジタルＩＦ復調ＩＣ５０に供給される。
【００４０】
地上デジタルＩＦ復調ＩＣ５０は、アナログ／デジタル兼用チューナ１０から入力されたＩＦ信号をデジタル復調し、デジタル復調後のデジタルＴＳ（トランスポートストリーム）出力信号として出力する。
【００４１】
デジタル放送用ＲＦ−ＡＧＣバッファアンプ１２１（Ｑ１）は、デジタル放送受信時には、ベースにデジタルＲＦ＿ＡＧＣ入力端子１５１からデジタルＲＦ＿ＡＧＣ信号が供給されオンとなり、このデジタルＲＦ＿ＡＧＣ信号に応じて、可変アッテネータ（ＡＴＴ）１１２およびＲＦアンプ（利得可変型）１１３のゲインを制御する。このデジタルＲＦ＿ＡＧＣ信号は、実際には概ね弱信号時に３．３［ｖ］〜  強信号時に０．５［ｖ］の間で推移する。弱信号時の３．３はオフと同一状態でＲＦ＿ＡＧＣが掛からない最大ゲインで動作している。強信号になるにつれ電圧低下するＲＦ＿ＡＧＣアクティブ動作のモードであれば良い。
【００４２】
アナログ放送用ＲＦ−ＡＧＣバッファ１２２（Ｑ２）は、アナログ／デジタル切替制御端子１５２から０［ｖ］が出力されているので、ダイオード１１７はオフとなり地上アナログＩＦ復調ＩＣ１２０にはＩＦ信号無入力供給となり地上アナログＩＦ復調ＩＣ１２０からから出力されるアナログＲＦ＿ＡＧＣ信号は３．３［ｖ］一定となりオフとなる。
【００４３】
この結果、アナログ／デジタル兼用チューナ１０は、地上アナログＩＦ復調ＩＣ１２０からのデジタルＲＦ＿ＡＧＣ信号によって、ミキサー１１４のＩＦ出力レベルが一定となるようＲＦ＿ＡＧＣアクティブ動作となる。
【００４４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】本発明のアナログ／デジタル兼用チューナの構成を説明するためのブロック図。
【図２】地上デジタルＩＦ復調ＩＣ５０およびマイコン３０がアナログ／デジタル兼用チューナ１０を制御するフローチャート。
【符号の説明】
【００４６】
１０…アナログ／デジタル兼用チューナ、３０…マイコン、５０…地上デジタルＩＦ（中間周波数）復調ＩＣ、１１０…地上波アンテナ入力端子、１１１…ＲＦアンプ（利得固定）、１１２…可変アッテネータ（ＡＴＴ）、１１３…ＲＦアンプ（利得可変型）、１１４…ミキサー、１１４Ａ…オシレータ（ＯＳＣ）、１１５…アナログ放送用の映像ＩＦ（Intermediate Frequency：中間周波数）フィルタ、１１６…アナログ放送用の音声ＩＦフィルタ、１１７，１１８…ダイオード、１１９…デジタル放送用ＩＦフィルタ、１２０…地上アナログＩＦ復調ＩＣ、１２１…デジタル放送用ＲＦ−ＡＧＣバッファアンプ（Ｑ１）、１２２…アナログ放送用ＲＦ−ＡＧＣバッファアンプ（Ｑ２）、１２３…ＩＦスイッチ（Ｑ３）、１３１…アナログ映像信号出力端子、１３２…ＳＩＦ（Sound Intermediate Frequency）信号出力端子、１５１…デジタルＲＦ＿ＡＧＣ入力端子、１５２…アナログ／デジタル切替制御端子、１５３…デジタルＩＦ出力端子、Ｒ１〜Ｒ７…抵抗。
【図１】
2007208553.tif 000003
【図２】
2007208553.tif 000004